(57)【要約】【課題】アイドリングストップ制御と他の車両制御との間での制御干渉を防止する。【解決手段】常用ブレーキが操作されて車両が停車したことを含むアイドリングストップ制御開始条件が成立するとエンジン１０を停止させ、アイドリングストップ制御終了条件が成立するとエンジンを再始動させるアイドリングストップ制御手段１２と、制動力保持制御開始条件が成立すると油圧式常用ブレーキの圧油の流通をバルブによって遮断して制動力を保持し車両の移動を防止し、制動力保持制御終了条件が成立するとバルブによる遮断を解除して制動力を解放する制動力保持制御手段１４，１５と、を備え、制動力保持制御開始条件にはエンジンが作動状態であることが含まれ、アイドリングストップ制御開始条件と制動力保持制御開始条件とが何れも成立した場合には、制動力保持制御を優先して実施するように連携して制御する。【選択図】図１
2014108702.tif 000002
【特許請求の範囲】
【請求項１】
車両が停車し前記車両の常用ブレーキが操作されていることを含むアイドリングストップ制御開始条件が成立すると車両のエンジンを停止させ、アイドリングストップ制御終了条件が成立すると前記エンジンを再始動させるアイドリングストップ制御手段と、
前記車両が停車し前記常用ブレーキが操作されていることを含む制動力保持制御開始条件が成立すると前記常用ブレーキの作動流体の流路内のバルブによって前記作動流体の流通を遮断して制動力を保持し車両の移動を防止し、制動力保持制御終了条件が成立すると前記バルブによる前記作動流体の流通遮断を解除して制動力を解放する制動力保持制御手段と、を備え、
前記制動力保持制御開始条件には前記エンジンが作動状態であることが含まれ、
前記アイドリングストップ制御手段及び前記制動力保持制御手段は、前記アイドリングストップ制御開始条件と前記制動力保持制御開始条件とが何れも成立した場合には、制動力保持制御を優先して実施するように連携制御を行なう
ことを特徴とする、車両制御装置。
【請求項２】
前記アイドリングストップ制御開始条件は、
前記車両のアイドリングストップ制御実施選択手段により制御実施が選択されていること、
前記車両が停車したこと、
前記常用ブレーキが操作されていること、
前記車両の動力伝達系が動力伝達遮断状態であること、
を含む各個別条件が、何れも成立することであり、
前記アイドリングストップ制御終了条件は、
前記常用ブレーキが作動操作された状態から前記シフトレバー，前記常用ブレーキ及び前記車両のクラッチの何れかが発進準備操作されたこと、
を含む各個別条件が何れも成立することである
ことを特徴とする、請求項１記載の車両制御装置。
【請求項３】
前記制動力保持制御手段は、前記車両の停車中の作業時に前記制動力保持により前記車両の移動を防止する作業用補助制動手段を構成し、
前記作業用補助制動手段の前記制動力保持制御開始条件は、
前記車両の車両移動防止制御実施選択手段により制御実施が選択されていること、
前記車両が停車したこと、
前記常用ブレーキが操作されていること、
前記車両の駐車ブレーキが作動操作されたこと、
前記エンジンが作動状態であること、
前記車両の動力伝達系が動力伝達遮断状態であること、
を含む各個別条件が、何れも成立していることであり、
前記作業用補助制動手段の前記制動力保持制御終了条件は、
前記車両移動防止制御実施選択手段が制御不実施に切り替えられたこと、
前記駐車ブレーキが非作動状態に切り替えられたこと、
の何れかが成立すると共に、前記エンジンが作動状態であることを含む他の個別条件が成立することであって、
前記アイドリングストップ制御手段は、前記作業用補助制御手段により前記制動力保持制御を実施している際には、前記エンジンの停止を実施しない
ことを特徴とする、請求項１又は２記載の車両制御装置。
【請求項４】
前記制動力保持制御手段は、前記車両の坂道での一時停止時に前記車両のずり下がりを防止するずり下がり防止制御手段と、前記ずり下がり防止制御手段による制動力保持状態から前記車両を発進させる際に、前記ずり下がり防止制御手段により保持していた制動力を自動的に解放して坂道の発進を補助する坂道発進補助制御手段とを構成し、
前記ずり下がり防止制御手段の前記制動力保持制御開始条件は、
前記車両の坂道発進補助制御実施選択手段により制御実施が選択されていること、
前記車両が停車したこと、
前記常用ブレーキが操作されていること、
前記車両の駐車ブレーキが非操作状態であること、
前記エンジンが作動状態であること、
前記車両の動力伝達系が動力伝達遮断状態であること、
を含む各個別条件が、何れも成立していることであり、
前記坂道発進補助制御手段の前記制動力保持制御終了条件は、
前記坂道発進補助制御実施選択手段が制御不実施に切り替えられたこと、
前記駐車ブレーキが作動状態に切り替えられたこと、
前記車両の発進準備操作がされたこと、
の何れかが成立すると共に、前記エンジンが作動状態であることを含む他の個別条件が成立することであって、
前記アイドリングストップ制御手段及び前記ずり下がり防止制御手段は、前記アイドリングストップ制御開始条件と前記制動力保持制御開始条件とが何れも成立した場合には、制動力保持制御を優先して実施し、その後アイドリングストップ制御を開始するように連携して制御し、
前記アイドリングストップ制御手段及び前記坂道発進補助制御手段は、前記アイドリングストップ制御終了条件と前記制動力保持制御終了条件とが何れも成立した場合には、アイドリングストップ制御の終了によるエンジン再始動を優先して実施し、その後、制動力保持制御の終了による制動力の解放を実施するように連携して制御する
ことを特徴とする、請求項１〜３のいずれか１項に記載の車両制御装置。
【請求項５】
前記バルブは、前記エンジンの始動時のスタータモータに給電するバッテリの電力により閉鎖状態を保持する電磁バルブであって、
前記エンジンの前記再始動時に前記バッテリの電圧を昇圧して前記電磁バルブに出力する昇圧コンバータを備えている
ことを特徴とする、請求項１〜４のいずれか１項に記載の車両制御装置。
【請求項６】
前記アイドリングストップ制御手段及び前記制動力保持制御手段は別々のハードウェアに備えられ、前記の各ハードウェアは互いに通信手段により情報を授受して、前記連携した制御を実施する
ことを特徴とする、請求項１〜５の何れか１項に記載の車両制御装置。
【発明の詳細な説明】
【技術分野】
【０００１】
本発明は、アイドリングストップ制御と他の車両制御とを組み合わせて構成した車両制御装置に関するものである。
【背景技術】
【０００２】
近年、地球環境の保護の観点から、自動車（以下、車両とも言う）の停車時にエンジンを停止させるアイドリングストップアンドスタートシステム（Idling-Stop and Start System、以下、ＩＳＳという）が開発されている。このＩＳＳによるアイドリングストップアンドスタート制御（単に、アイドリングストップ制御とも言う）は、所定の停止条件（以下、「エンジン停止条件」と言う）が成立したときにエンジンを停止させ、所定の再始動条件が成立したときにエンジンを再始動させる。これにより、燃費を向上させ、排出ガスを低減させることができる。
【０００３】
一方、運転操作を容易にするためや走行時や停止時の車両の安定性を確保するために、種々の車両制御が開発されている。
例えば、坂道の一時停止時にブレーキペダルを踏み込んだらその時の制動力を保持してブレーキペダルから足を離しても車両を停止させておくことにより車両のずり下がりを防止するずり下がり防止制御と、車両を発進させる際には保持していた制動力を自動的に解除して坂道を発進する坂道発進補助制御とを行なうことによって、坂道発進を容易に行なうことができるようにした坂道発進補助装置（Hill Start Assist system）が開発されている。
【０００４】
また、駐車ブレーキを作動させているときに、何らかの原因で万一車両が一定距離移動したら自動的に車両制動時に用いる常用ブレーキを作動させて車両を停止させる駐車補助装置も開発されている。
【０００５】
また、走行中にエンジン出力や各車輪のブレーキを制御して、雪道等の滑り易い路面での車両の走行安定性を確保する車両挙動制御装置（ＥＳＰ（商標登録）(Electronic Stability Program)）も開発されている。なお、この車両挙動制御装置では、各車輪のブレーキを個々に制御するため、ＡＢＳ（anti-lock brake system）と併用することができる。
【０００６】
さらに、高所作業車などにおいて、駐車ブレーキを作動させて車両停車中の作業時に常用ブレーキを作動させて車両に制動力を加えて車両の移動を防止する車両移動防止制御システム(Lock Brake system）も開発されている。
【０００７】
そこで、アイドリングストップ制御と上記の種々の車両制御とを組み合わせたものも開発されている。特に、アイドリングストップ制御によりエンジンを停止させているときには、常用ブレーキを作動状態に保持して車両を確実に停止させておくことがより重要になる。特許文献１には、アイドリングストップ制御と常用ブレーキを利用した坂道発進補助制御とを組み合わせた技術が開示されている。
【０００８】
この特許文献１の技術は、油圧式ブレーキを作動させて坂道で停車した際に、圧油流路に介装された電磁バルブに電圧を印加して圧油流路を閉鎖してブレーキ油圧を保持するものに、アイドリングストップ制御を追加したものである。油圧式ブレーキを作動させ坂道での停車状態を保持した状態でエンジンを停止し、その後の車両発進要求等に応じてエンジンの再始動を行なう。この再始動時には、スタータモータに電力を消費されるためバッテリの電圧が低下して、電磁バルブに所要の電圧を印加できなくなるおそれがあるので、バッテリの電圧を昇圧コンバータで昇圧して電磁弁に印加して、電磁バルブが適正に作動するようにしている。この結果、アイドリングストップ制御を実施しても、坂道で車両のずり下がりを招くことなく支障なく車両を発進させることができる。
【０００９】
なお、乗用車に比べて車両重量や積載量の大きい大型車では、坂道発進や車両挙動を安定させた運転が乗用車以上に難しくなるので、上記の坂道発進補助装置や車両挙動制御装置は大型車のドライバの運転操作の負担軽減に大きく寄与する。また、駐車補助装置や車両移動防止制御システムも、車両重量や積載量の大きい大型車ほど有効である。
【先行技術文献】
【特許文献】
【００１０】
【特許文献１】特開２０１１−２４７２３７号公報
【発明の概要】
【発明が解決しようとする課題】
【００１１】
ところで、アイドリングストップ制御と他の車両制御との間で制御干渉が発生し、各制御に支障をきたすおそれが考えられる。
【００１２】
例えば、アイドリングストップ制御と、常用ブレーキを用いて停車時の制動力を保持するずり下がり防止制御や車両移動防止制御とを組み合わせる場合、アイドリングストップ制御の開始条件（即ち、エンジン停止条件）と制動力保持制御の開始条件とが略同時に成立する場合や、アイドリングストップ制御の終了条件（即ち、エンジン再始動条件）と制動力保持制御の終了条件とが略同時に成立する場合がありうる。
【００１３】
制動力保持制御を行なう場合には、変速機をＮ（ニュートラルポジション）にするか或いはクラッチを遮断状態にして、駆動輪に動力が伝達しないようにしたうえで、常用ブレーキ（フットブレーキ）を作動させて停車することが条件となるが、あくまでエンジンが作動状態であることも前提条件となる。これは、制動力保持制御が完了するまでは、エンジンを作動状態にして走行駆動力を確保することにより、万が一制動力保持制御の完了前に車両のずり下がり等が生じた場合に対処できるようにするためである。しかし、この動力保持制御の直前にアイドリングストップ制御が開始されエンジンが停止してしまうと、制動力保持制御を実施できないことになる。
【００１４】
また、坂道発進補助制御における制動力保持状態から車両を発進させる操作、つまり、変速機を走行位置にセットしクラッチを接続しながらアクセルペダルの踏み込み操作を行なうと、同時に制動力保持を解除して坂道発進を補助するが、この場合もエンジンが作動状態であることが前提条件となる。しかし、車両を発進させる操作は、アイドリングストップ制御の終了条件（エンジン再始動条件）でもあるので、坂道発進補助制御と前後してエンジン再始動が行われることになる。しかし、この坂道発進補助制御を開始する際にエンジン再始動が行われていなければ制御条件が成立しても坂道発進補助制御を実施できないことになる。
【００１５】
本発明は、このような課題を解決するために創案されたもので、アイドリングストップ制御と他の車両制御との間で制御干渉が発生しないようにしながら、アイドリングストップ制御による燃費向上や排出ガス低減効果と、他の車両制御による運転操作の補助や停車時の車両の安定性確保といった効果を得ることができるようにした、車両制御装置を提供することを目的とする。
【課題を解決するための手段】
【００１６】
（１）上記の目的を達成するために、本発明の車両制御装置は、車両が停車し前記車両の常用ブレーキが操作されていることを含むアイドリングストップ制御開始条件が成立すると車両のエンジンを停止させ、アイドリングストップ制御終了条件が成立すると前記エンジンを再始動させるアイドリングストップ制御手段と、前記車両が停車し前記常用ブレーキが操作されていることを含む制動力保持制御開始条件が成立すると前記常用ブレーキの作動流体の流路内のバルブによって前記作動流体の流通を遮断して制動力を保持し車両の移動を防止し、制動力保持制御終了条件が成立すると前記バルブによる前記作動流体の流通遮断を解除して制動力を解放する制動力保持制御手段と、を備え、前記制動力保持制御開始条件には前記エンジンが作動状態であることが含まれ、前記アイドリングストップ制御手段及び前記制動力保持制御手段は、前記アイドリングストップ制御開始条件と前記制動力保持制御開始条件とが何れも成立した場合には、制動力保持制御を優先して実施するように連携制御を行なうことを特徴としている。
【００１７】
（２）前記アイドリングストップ制御開始条件は、前記車両のアイドリングストップ制御実施選択手段により制御実施が選択されていること、前記車両が停車したこと、前記常用ブレーキが操作されていること、前記車両の動力伝達系が動力伝達遮断状態であること、を含む各個別条件が、何れも成立することであり、前記アイドリングストップ制御終了条件は、前記常用ブレーキが作動操作された状態から前記シフトレバー，前記常用ブレーキ及び前記車両のクラッチの何れかが発進準備操作されたこと、を含む各個別条件の何れも成立することであることが好ましい。
【００１８】
（３）前記制動力保持制御手段は、前記車両の停車中の作業時に前記制動力保持により前記車両の移動を防止する作業用補助制動手段を構成し、前記作業用補助制動手段の前記制動力保持制御開始条件は、前記車両の車両移動防止制御実施選択手段により制御実施が選択されていること、前記車両が停車したこと、前記常用ブレーキが操作されていること、前記車両の駐車ブレーキが作動操作されたこと、前記エンジンが作動状態であること、前記車両の動力伝達系が動力伝達遮断状態であること、を含む各個別条件が、何れも成立していることであり、前記作業用補助制動手段の前記制動力保持制御終了条件は、前記車両移動防止制御実施選択手段が制御不実施に切り替えられたこと、前記駐車ブレーキが非作動状態に切り替えられたこと、の何れかが成立すると共に、前記エンジンが作動状態であることを含む他の個別条件が成立することであって、前記アイドリングストップ制御手段は、前記制動力保持制御手段により前記制動力保持制御を実施している際には、前記エンジンの停止を実施しないことが好ましい。
【００１９】
（４）前記制動力保持制御手段は、前記車両の坂道での一時停止時に前記車両のずり下がりを防止するずり下がり防止制御手段と、前記ずり下がり防止制御手段による制動力保持状態から前記車両を発進させる際に、前記ずり下がり防止制御手段により保持していた制動力を自動的に解放して坂道の発進を補助する坂道発進補助制御手段とを構成し、前記ずり下がり防止制御手段の前記制動力保持制御開始条件は、前記車両の坂道発進補助制御実施選択手段により制御実施が選択されていること、前記車両が停車したこと、前記常用ブレーキが操作されていること、前記車両の駐車ブレーキが非操作状態であること、前記エンジンが作動状態であること、前記車両の動力伝達系が動力伝達遮断状態であること、を含む各個別条件が、何れも成立していることであり、前記坂道発進補助制御手段の前記制動力保持制御終了条件は、前記坂道発進補助制御実施選択手段が制御不実施に切り替えられたこと、前記駐車ブレーキが作動状態に切り替えられたこと、前記車両の発進準備操作がされたこと、を含む各個別条件の何れかが成立すると共に、前記エンジンが作動状態であることを含む他の個別条件が成立することであって、前記アイドリングストップ制御手段及び前記ずり下がり防止制御手段は、前記アイドリングストップ制御開始条件と前記制動力保持制御開始条件とが何れも成立した場合には、制動力保持制御を優先して実施し、その後アイドリングストップ制御を開始するように連携して制御し、前記アイドリングストップ制御手段及び前記坂道発進補助制御手段は、前記アイドリングストップ制御終了条件と前記制動力保持制御終了条件とが何れも成立した場合には、アイドリングストップ制御の終了によるエンジン再始動を優先して実施し、その後、制動力保持制御の終了による制動力の解放を実施するように連携して制御することが好ましい。
【００２０】
（５）前記バルブは前記エンジンの始動時のスタータモータに給電するバッテリの電力により閉鎖状態を保持する電磁バルブであって、前記エンジンの前記再始動時に前記バッテリの電圧を昇圧して前記電磁バルブに出力する昇圧コンバータを更に備えていることが好ましい。
【００２１】
（６）前記アイドリングストップ制御手段及び前記制動力保持制御手段は別々のハードウェアに備えられ、前記の各ハードウェアは互いに通信手段により情報を授受して、前記連携した制御を実施することが好ましい。
【発明の効果】
【００２２】
（１）本発明の車両制御装置によれば、アイドリングストップ制御手段及び制動力保持制御手段は、車両が停車し常用ブレーキが操作されていることを含むアイドリングストップ制御開始条件と制動力保持制御開始条件とが何れも成立した場合には、制動力保持制御を優先して実施するように連携して制御するので、両制御の制御干渉が回避される。
【００２３】
つまり、制動力保持制御開始条件にはエンジンが作動状態であることが含まれるため、アイドリングストップ制御開始条件と制動力保持制御開始条件とが何れも成立した場合に、先にアイドリングストップ制御を開始してエンジンを停止させてしまうと、制動力保持制御は開始することができない。一方、制動力保持制御を開始した後に、アイドリングストップ制御を開始してエンジンを停止させることは可能である。また、制動力保持という車両を安定して静止させる制御をアイドリングストップ制御よりも優先させることは、制御の重要性の観点からも適切である。
【００２４】
（２）アイドリングストップ制御開始条件を、車両のアイドリングストップ制御実施選択手段により制御実施が選択されていること、車両が停車したこと、常用ブレーキが操作されていること、車両の動力伝達系が動力伝達遮断状態であること、を含む各個別条件が、何れも成立することとすると、支障なくエンジンを停止することができる。
【００２５】
アイドリングストップ制御終了条件を、常用ブレーキが作動操作された状態からシフトレバー，常用ブレーキ及び車両のクラッチの何れかが発進準備操作されたこと、を含む各個別条件が何れか成立することとすると、車両を発進させるに際して、遅れることなくエンジン駆動力を得ることができる。
【００２６】
（３）制動力保持制御手段が作業用補助制動手段を構成し、その制動力保持制御開始条件を、車両移動防止制御実施選択手段により制御実施が選択されていること、車両が停車したこと、常用ブレーキが操作されていること、駐車ブレーキが作動操作されたこと、エンジンが作動状態であること、車両の動力伝達系が動力伝達遮断状態であること、を含む各個別条件が、何れも成立していることとすると、操作された常用ブレーキの制動力を保持し、この常用ブレーキの制動力で駐車ブレーキの制動力をアシストすることができ、作業中の車両を確実に静止させておくことができる。
【００２７】
また、作業用補助制動手段の制動力保持制御終了条件を、車両移動防止制御実施選択手段が制御不実施に切り替えられたこと、駐車ブレーキが非作動状態に切り替えられたこと、を含む各個別条件の何れかが成立すると共に、エンジンが作動状態であることとすると、常用ブレーキの制動力を支障なく解放することができる。特に、アイドリングストップ制御手段は、制動力保持制御を実施している際には、アイドリングストップ制御によるエンジンの停止を実施しないので、制動力保持制御終了条件が成立すれば速やかに常用ブレーキの制動力を解放することができる。
【００２８】
（４）制動力保持制御手段が、車両の坂道での一時停止時にずり下がりを防止するずり下がり防止制御手段と、この状態から車両を発進させる際に、ずり下がり防止制御手段により保持していた制動力を自動的に解放して坂道の発進を補助する坂道発進補助制御手段とを構成し、その制動力保持制御開始条件を、坂道発進補助制御実施選択手段により制御実施が選択されていること、車両が停車したこと、常用ブレーキが操作されていること、駐車ブレーキが非操作状態であること、エンジンが作動状態であること、車両の動力伝達系が動力伝達遮断状態であること、を含む各個別条件が、何れも成立していることとすると、操作された常用ブレーキの制動力を保持し、この常用ブレーキの制動力で坂道での車両のずり下がりを確実に防止することができ、ドライバの操作負担を軽減することができる。
【００２９】
また、坂道発進補助制御手段の制動力保持制御終了条件を、坂道発進補助制御実施選択手段が制御不実施に切り替えられたこと、駐車ブレーキが作動状態に切り替えられたこと、車両の発進準備操作がされたこと、を含む各個別条件の何れかが成立すると共に、エンジンが作動状態であることとすると、常用ブレーキの制動力を支障なく解放することができる。特に、アイドリングストップ制御終了条件と制動力保持制御終了条件とが何れも成立した場合には、アイドリングストップ制御の終了によるエンジン再始動を優先して実施し、その後、制動力保持制御の終了による制動力の解放を実施するので、坂道発進補助制御とアイドリングストップ制御とが同時に実施されても、支障なく制動力保持制御を終了し、常用ブレーキの制動力を解放することができる。
【００３０】
（５）バルブが、エンジンの始動時のスタータモータに給電するバッテリの電力により閉鎖状態を保持する電磁バルブであって、エンジンの再始動時にバッテリの電圧を昇圧して電磁バルブに出力する昇圧コンバータを備えていると、エンジンの再始動時にスタータモータに給電することでバッテリの電圧が降下した場合であっても、バッテリの電圧が昇圧コンバータで昇圧されて電磁バルブに出力されるので、電磁バルブに電力供給する際の電圧降下が回避され、電磁バルブが確実に閉鎖状態に保持される。
【００３１】
（６）アイドリングストップ制御手段及び制動力保持制御手段が別々のハードウェアに備えられ、これらの各ハードウェアは互いに通信手段により情報を授受して連携した制御を実施すれば、既存のハードウェアを組み合わせて使用しながら連携制御を実施することができ、各制御手段をオプションで備える場合に好適である。
【図面の簡単な説明】
【００３２】
【図１】本発明の第１実施形態にかかる車両制御装置を示す構成図である。
【図２】本発明の第１実施形態にかかる車両制御装置による制御にかかるエンジン始動時の電圧降下を説明するタイムチャートである。
【図３】本発明の第１実施形態にかかる車両制御装置によるアイドリングストップ制御の開始判定及び終了判定を説明するフローチャートであり、（ａ）は開始判定を説明するフローチャート、（ｂ）は終了判定を説明するフローチャート、（ｃ）は終了判定後のエンジン始動の完了判定を説明するフローチャートである。
【図４】本発明の第１実施形態にかかる車両制御装置による作業用補助制動にかかる制動力保持制御の開始判定及び終了判定を説明するフローチャートであり、（ａ）は開始判定を説明するフローチャート、（ｂ）は終了判定を説明するフローチャートである。
【図５】本発明の第１実施形態にかかる車両制御装置によるずり下がり防止制御及び坂道発進補助制御にかかる制動力保持制御の開始判定及び終了判定を説明するフローチャートであり、（ａ）は開始判定を説明するフローチャート、（ｂ）は終了判定を説明するフローチャート、（ｃ）は開始判定後の制動力保持の完了判定を説明するフローチャートである。
【図６】本発明の第１実施形態にかかる車両制御装置による制御の概要を説明するフローチャートである。
【図７】本発明の第２実施形態にかかる車両制御装置を示す構成図である。
【図８】本発明の第３実施形態にかかる車両制御装置を示す構成図である。
【図９】本発明の第４実施形態にかかる車両制御装置を示す構成図である。
【発明を実施するための形態】
【００３３】
以下、図面により本発明の実施形態を説明する。
ここでは、図１〜図６を用いて本発明の第１実施形態にかかる車両制御装置を説明し、図７を用いて本発明の第２実施形態にかかる車両制御装置を説明し、図８を用いて本発明の第３実施形態にかかる車両制御装置を説明し、図９を用いて本発明の第４実施形態にかかる車両制御装置を説明する。
【００３４】
いずれの実施形態も、トラックやバスといった車体重量や載貨重量の大きい大型車両（大型自動車）に本発明を適用した場合を説明するが、本発明は大型車両に限らず、乗用車等の小型中型車両（小型中型自動車）に広く適用しうるものである。また、いずれの実施形態も、クラッチが自動クラッチであり且つ変速機が自動変速機である場合を説明するが、本発明はこれに限定されるものではなく、例えば、クラッチがマニュアルクラッチであり且つ変速機がマニュアル変速機である場合も適用しうるものである。
【００３５】
〔第１実施形態〕
まず、本発明の第１実施形態を説明する。図１〜図６は第１実施形態を説明する図であり、図１はその構成図、図２はその制御にかかるエンジン始動時の電圧降下を説明するタイムチャート、図３はそのアイドリングストップ制御の開始判定及び終了判定を説明するフローチャート、図４はその作業用補助制動にかかる制動力保持制御の開始判定及び終了判定を説明するフローチャート、図５はそのずり下がり防止制御及び坂道発進補助制御にかかる制動力保持制御の開始判定及び終了判定を説明するフローチャート、図６はその制御の概要を説明するフローチャートである。
【００３６】
（構成）
本実施形態にかかる車両制御装置は、図１に示すように、エンジンを制御するエンジンＥＣＵ１１と、アイドリングストップアンドスタート制御（以下、単に、アイドリングストップ制御と言う）を行なうアイドリングストップ用ＥＣＵ（ＩＳＳＥＣＵ）１２と、アンチロックブレーキ制御（ＡＢＳ制御）を行なうＡＢＳ制御用ＥＣＵ（ＡＢＳＥＣＵ、車両挙動制御手段）１３Ａと、油圧式常用ブレーキ（フットブレーキ）２０の制動力を保持し車両の移動を防止する制動力保持制御用ＥＣＵ（ロックブレーキＥＣＵ（Rock Brake ECU）、制動力保持手段）１４と、坂道での一時停止時にブレーキペダルを踏み込んだ際に油圧式常用ブレーキ２０の制動力を保持し車両の移動を防止し車両を発進させる際に制動力を自動的に解除する坂道発進補助制御用ＥＣＵ（ヒルホールダーＥＣＵ（Hill Holder ECU）、坂道発進補助制御手段）１５と、を備えている。
【００３７】
各ＥＣＵ（Electronic Control Unit）１１，１２，１３Ａ，１４，１５は、マイクロプロセッサやＲＯＭ（Read Only Memory），ＲＡＭ（Random Access Memory）等を集積したＬＳＩ（Large Scale Integration）デバイスや組み込み電子デバイスとして構成される電子制御装置であり、車載ネットワークを介して互いに接続されるとともに各種デバイスと接続される。ここでは、車載ネットワークとしてＣＡＮ（Controller Area Network）を例に挙げて説明するが、ＦｌｅｘＲａｙなどの他の規格の車載ネットワークを用いてもよい。
【００３８】
車載ネットワークには、図示しない車速センサからの車速情報と、図示しない車輪速センサからの車輪速情報と、図示しないブレーキスイッチからの油圧式常用ブレーキ（フットブレーキ）の操作情報と、図示しない油圧センサからの常用ブレーキの作動油圧の情報（油圧式常用ブレーキの作動状態情報）と、図示しないブレーキスイッチからの駐車ブレーキの操作情報と、図示しないクラッチセンサからのクラッチの断接情報と、図示しないシフトポジションセンサからのシフトポジション情報と、図示しない回転センサからのエンジン回転数情報と、Ｇセンサ等からの車両挙動情報と、その他の信号（エンジンの冷却水温情報，車両のドア開け，シートベルト外し，ＰＴＯ使用，キャブチルト等の信号）が入力される。
【００３９】
なお、ここでは、各センサからの検出信号が、車載ネットワークの信号線に直接入力され、車載ネットワークに接続された各ＥＣＵがこれを受信するものとして図示するが、これらの各センサからの検出信号は、何れかのＥＣＵに入力され、この入力されたＥＣＵを介して車載ネットワークに接続された他のＥＣＵに送信されるものであってもよい。
【００４０】
ＩＳＳＥＣＵ１２は、アイドリングストップ制御開始条件（エンジン停止条件）が成立するとエンジンを停止させ、その後、アイドリングストップ制御終了条件（エンジン再始動条件）が成立するとエンジンを再始動させる。このため、ＩＳＳＥＣＵ１２では、車両が所定の減速状態になったらアイドリングストップ制御開始条件が成立したか否かを判定し、アイドリングストップ制御実施中にはアイドリングストップ制御終了条件が成立したか否かを判定する。
【００４１】
ＩＳＳＥＣＵ１２には、車両に装備されたＩＳＳカットスイッチ（アイドリングストップ制御実施選択手段）からのＩＳＳ禁止／許可信号（制御実施，不実施選択情報）が入力され、さらに、常用ブレーキの操作情報、車速情報、クラッチの断接情報、シフトポジション情報、常用ブレーキの作動状態情報、及びその他の情報（エンジンの冷却水温情報，車両のドア開け，シートベルト外し，ＰＴＯ使用，キャブチルト等の情報）が入力され、これらの入力された情報に基づいて上記の各判定を行なう。
【００４２】
ここで、アイドリングストップ制御開始条件（エンジン停止条件）について説明する。
本実施形態では、クラッチが自動クラッチであり且つ変速機が自動変速機なので、エンジン停止条件には、下記の（１）〜（５）の条件（各条件を個別条件とも言う）が設定され、これらの各条件がいずれも成立した場合に、エンジン停止条件が成立する。
【００４３】
なお、このアイドリングストップ制御は、下記の（１）の個別条件が成立していて、車速Ｖが所定車速Ｖ１速（例えば、１０ｋｍ／ｈ）以上まで上昇し明らかな走行状態となったら開始する。したがって、このアイドリングストップ制御開始条件の判定は、下記の（１）の個別条件が成立していること及び車速Ｖが所定車速Ｖ１に達したことを前提条件とする。
【００４４】
（１）ＩＳＳカットスイッチがオフとされていること、即ち、ＩＳＳ許可（ＩＳＳ制御実施）が選択されていること。
（２）車両が停車したこと。
（３）常用ブレーキが操作されていること。
（４）Ｄ位置（Ｄレンジ）が選択され自動クラッチが動力伝達遮断状態であること。
（５）その他の条件が成立していること。
【００４５】
上記の（１）のＩＳＳカットスイッチがオフの条件は、ＩＳＳカットスイッチが操作されていないことである。ＩＳＳカットスイッチは操作されない限りオフであり、この場合、ＩＳＳ制御はカット（禁止）されない。したがって、この場合、ＩＳＳ制御は許可され、ＩＳＳ制御実施が選択される。
【００４６】
上記の（２）の車両停車の条件は、具体的には、車速Ｖが停止判定車速Ｖ２（例えば、２ｋｍ/ｈ）以下、即ち、車速０ｋｍ/ｈ近傍になっていることとする。
上記の（３）の条件は、ブレーキスイッチからＯＮ信号が入力されていれば成立し、ＯＦＦ信号が入力されていれば成立しない。
【００４７】
また、上記の（４）の条件は、シフトポジションセンサから入力された選択位置（選択レンジ）信号がＤ位置に対応する信号であって、且つ、自動クラッチが動力遮断側に自動操作されてクラッチセンサからのクラッチの遮断信号が入力されていれば成立し、そうでなければ成立しない。
上記の（５）の条件としては、急減速停止でないこと、エンジンの冷却水温が標準領域内であること、ドアが開放されていないこと、シートベルトが外されていること、ＰＴＯ（Power Take Off）装置が作動していないこと、キャブチルト時でないことなどが挙げられる。
【００４８】
なお、クラッチがクラッチペダルの操作により作動するマニュアルクラッチであり且つ変速機がマニュアル変速機であれば、上記の（４）の条件は、シフトポジションセンサから入力された選択変速段がＮ位置に対応する信号であり、且つ、クラッチペダルが踏み込まれた状態から踏み込みが解除された状態に移行したこと（クラッチが動力遮断状態から動力伝達態に移行したこと）がクラッチセンサの検出信号から判定されれば成立し、そうでなければ成立しない。
上記の制御開始条件によって、支障なくエンジンを停止することができるが、このようなアイドリングストップ制御開始条件は例示であり、制御開始条件はこれらに限るものでなはない。
【００４９】
次に、アイドリングストップ制御終了条件（エンジン再始動条件）について説明する。
アイドリングストップのためのエンジン停止中に、常用ブレーキが作動操作された状態（ブレーキペダルが踏み込まれた状態）から、シフトレバー，常用ブレーキ及びクラッチの何れかが発進準備操作された場合に、エンジン再始動条件が成立する。
【００５０】
本実施形態では、クラッチが自動クラッチであり且つ変速機が自動変速機なので、発進準備操作は、次の各場合があり、何れの場合もエンジン再始動条件が成立する。
（ａ）シフトレバーがＤ位置又はＮ位置のときに、ブレーキペダルの踏み込みを解除した場合。
（ｂ）エンジン停止中に、シフトレバーをＤ位置からＮ位置又はＰ位置に切り替え、その後、ブレーキペダルを踏み込んだままシフトレバーをＤ位置又はＲ位置に切り替えた場合。
なお、シフトレバーにマニュアルモード位置があれば、（ｃ）ブレーキペダルを踏み込んだまま、シフトレバーをＤ位置からマニュアルモード位置に切り替えた場合も、エンジン再始動条件が成立するものとする。
【００５１】
また、クラッチがマニュアルクラッチであり且つ変速機がマニュアル変速機の場合には、発進準備操作は、（ｄ）シフトレバーがＮ位置であり、クラッチペダルが踏み込まれた状態から離された状態に遷移した場合であり、この場合にエンジン再始動条件が成立する。
このような制御終了条件（エンジン再始動条件）によって、車両を発進させるに際して、遅れることなくエンジン駆動力を得ることができる。ただし、これらのエンジン再始動条件は例示であり、制御終了条件はこれらに限るものでなはない。
【００５２】
ＡＢＳＥＣＵ１３Ａは、油圧式常用ブレーキ２０を各制動輪単位で制御し、制動時の車輪のロックを防止する。このため、油圧式常用ブレーキ２０には、圧油流路の途中に、ホイールシリンダ２３を個別に制御するハイドロリックユニット（油圧ユニット）２２が介装され、ブレーキブースタ２１に接続されたマスターシリンダ２１ａからハイドロリックユニット２２までは二系統の油路２４ａ，２４ｂにより構成され、ハイドロリックユニット２２から各車輪のホイールシリンダ２３まではそれぞれの車輪毎に合計４本の油路２５ａ〜２５ｄで構成されている。ＡＢＳＥＣＵ１３Ａは、制動時の車輪のロックを防止することにより、車両挙動を安定化させるので車両挙動制御手段（車両挙動制御用ＥＣＵ）としても機能する。
【００５３】
ロックブレーキＥＣＵ１４は、高所作業車などにおいて、駐車ブレーキを作動させて車両停車中の作業時に常用ブレーキ２０を作動させて車両に加えられた制動力を保持して車両の移動を防止する車両移動防止制御システム(Lock Brake system）を構成する。常用ブレーキ２０による制動力を保持するために、油圧式常用ブレーキ２０の圧油（作動流体）の流路内にバルブ２６を介装し、各車輪のホイールシリンダ２３の供給された圧油の流通を遮断する。
【００５４】
本実施形態では、マスターシリンダ２１ａからハイドロリックユニット２２までは二系統の油路２４ａ，２４ｂにそれぞれバルブ２６が介装されている。
バルブ２６は、車両に搭載された補機バッテリ３０から電力を供給されて油路２４ａ，２４ｂを閉鎖するノーマルオープンの電磁バルブであり、ロックブレーキＥＣＵ１４から指令により、補機バッテリ３０から電力を供給され作動し油路２４ａ，２４ｂを閉鎖する。
【００５５】
ロックブレーキＥＣＵ１４では、制動力保持制御を実施していない場合には、制動力保持制御開始条件が成立したか否かを判定し、制動力保持制御を実施している場合には、制動力保持制御終了条件が成立したか否かを判定し、これらの判定結果に基づいて、制動力保持制御開始条件が成立したらバルブ２６に電力を供給し、油路２４ａ，２４ｂを閉鎖して加えられた制動力を保持し、その後、制動力保持制御終了条件が成立したらバルブ２６への電力供給を停止し、油路２４ａ，２４ｂを開放して加えられていた制動力を解除する。
【００５６】
ここで、ロックブレーキ制御の制動力保持制御開始条件について説明する。
本実施形態では、車両に、下記の条件（１）にかかる図示しないロックブレーキスイッチ（車両移動防止制御実施選択手段）が装備されており、下記の（１）〜（７）の条件が設定され、これらの各条件がいずれも成立した場合に、制動力保持制御開始条件が成立する。なお、制動力保持制御開始条件の判定は、下記の（１）のロックブレーキがオンの条件が成立している、つまり、ロックブレーキ制御の実施を選択している場合に、実施する。
【００５７】
（１）ロックブレーキスイッチがオンであること。
（２）車両が停車したこと。
（３）常用ブレーキが操作されていること。
（４）駐車ブレーキが作動操作されたこと。
（５）エンジンが作動状態であること。
（６）車両の動力伝達系が動力伝達遮断状態であること。
（７）その他の条件が成立していること。
【００５８】
上記の（２）の車両停車の条件は、アイドリングストップの開始条件と同一であり、具体的には、車速が停止判定車速（例えば、２ｋｍ/ｈ）以下、即ち、車速０ｋｍ/ｈ近傍になっていることとする。
上記の（３）の条件は、アイドリングストップの開始条件と同一であり、ブレーキスイッチからＯＮ信号が入力されていれば成立し、ＯＦＦ信号が入力されていれば成立しない。
【００５９】
また、上記の（４）の条件は、駐車ブレーキのブレーキスイッチからＯＮ信号が入力されていれば成立し、ＯＦＦ信号が入力されていれば成立しない。
上記の（５）の条件は、エンジン回転数センサからのエンジン回転数Ｎｅがエンジン作動を示す閾値（エンジン完爆判定閾値を流用できる）Ｎｅ０以上ならエンジンが作動状態であり成立し、そうでなければ成立しない。
上記の（６）の条件は、クラッチセンサからのクラッチの遮断信号が入力されているか或いはシフトレバーがＮ位置にあれば成立し、そうでなければ成立しない。
上記の（７）の条件としては、キャブチルト時でないことなどが挙げられる。
【００６０】
このようなロックブレーキ制御の制動力保持制御開始条件により、操作された常用ブレーキの制動力を保持し、この常用ブレーキの制動力で駐車ブレーキの制動力をアシストすることができ、作業中の車両を確実に静止させておくことができる。ただし、これらの制動力保持制御開始条件は例示であり、制御開始条件はこれらに限るものでなはない。
【００６１】
次に、ロックブレーキ制御の制動力保持制御終了条件について説明する。
本実施形態では、下記の（１）〜（４）の条件が設定され、（１），（２）の条件の何れかが成立し且つ（３），（４）の各条件がいずれも成立した場合に、制動力保持制御終了条件が成立する。なお、制動力保持制御終了条件の判定は、当然ながら制動力保持制御中に実施する。
【００６２】
（１）ロックブレーキスイッチがオフであること。
（２）駐車ブレーキが非作動操作されたこと。
（３）エンジンが作動状態であること。
（４）その他の条件が成立していること。
【００６３】
上記の（２）の条件は、駐車ブレーキのブレーキスイッチからＯＮ信号が入力されていれば成立し、ＯＦＦ信号が入力されていれば成立しない。
上記の（３）の条件は、エンジン回転数センサからのエンジン回転数Ｎｅがエンジン作動を示す閾値（エンジン完爆判定閾値を流用できる）Ｎｅ０以上ならエンジンが作動状態であり成立し、そうでなければ成立しない。
上記の（４）の条件としては、ＰＴＯ等の作業用装置が作動可能状態でないことなどが挙げられる。
【００６４】
このようなロックブレーキ制御の制動力保持制御終了条件により、ロックブレーキ制御時の常用ブレーキの制動力を支障なく解放することができる。ただし、これらの制動力保持制御開始条件は例示であり、制御開始条件はこれらに限るものでなはない。
【００６５】
ヒルホールダーＥＣＵ１５は、坂道での一時停止時に、ブレーキペダルを踏み込んだ際に油圧式常用ブレーキ２０の制動力を保持して、車両のずり下がりを防止するずり下がり防止制御（この機能を、ずり下がり防止制御手段とする）を実施し、その後の坂道発進時に、ずり下がり防止制御により保持していた制動力を自動的に開放して坂道の発進を補助する坂道発進補助制御（この機能を、坂道発進補助制御手段とする）を実施する。この油圧式常用ブレーキ２０の制動力保持は、油圧式常用ブレーキ２０の圧油（作動流体）の流路内に介装された上記バルブ２６を作動させ、各車輪のホイールシリンダ２３の供給された圧油の流通を遮断することで実施する。
【００６６】
ここで、ずり下がり防止制御の制動力保持制御開始条件について説明する。
本実施形態では、車両に、下記の条件（１）にかかる図示しない坂道発進補助制御用坂道発進補助スイッチ（坂道発進補助制御実施選択手段）が装備されており、下記の（１）〜（７）の条件が設定され、これらの各条件がいずれも成立した場合に、制動力保持制御開始条件が成立する。なお、この制動力保持制御開始条件の判定は、下記の（１）の坂道発進補助スイッチがオンの条件が成立している、つまり、坂道発進補助スイッチが坂道発進補助制御の実施を選択している場合に、実施する。
【００６７】
（１）坂道発進補助スイッチがオンであること。
（２）車両が停車したこと。
（３）常用ブレーキが操作されていること。
（４）駐車ブレーキが非操作状態であること。
（５）エンジンが作動状態であること。
（６）車両の動力伝達系が動力伝達遮断状態であること。
（７）その他の条件が成立していること。
【００６８】
上記の（２）の車両停車の条件は、アイドリングストップの開始条件と同一であり、具体的には、車速が停止判定車速（例えば、２ｋｍ/ｈ）以下、即ち、車速０ｋｍ/ｈ近傍になっていることとする。
上記の（３）の条件は、アイドリングストップの開始条件と同一であり、ブレーキスイッチからＯＮ信号が入力されていれば成立し、ＯＦＦ信号が入力されていれば成立しない。
【００６９】
また、上記の（４）の条件は、駐車ブレーキのブレーキスイッチからＯＮ信号が入力されていれば成立し、ＯＦＦ信号が入力されていれば成立しない。
上記の（５）の条件は、エンジン回転数センサからのエンジン回転数Ｎｅがエンジン作動を示す閾値（エンジン完爆判定閾値を流用できる）Ｎｅ０以上ならエンジンが作動状態であり成立し、そうでなければ成立しない。
上記の（６）の条件は、クラッチセンサからのクラッチの遮断信号が入力されているか或いはシフトレバーがＮ位置にあれば成立し、そうでなければ成立しない。
上記の（７）の条件としては、急減速による停車でないこと、車輪をロックさせて停車したのでないことなどが挙げられる。
【００７０】
このようなずり下がり防止制御の制動力保持制御開始条件によって、操作された常用ブレーキの制動力を保持し、この常用ブレーキの制動力で坂道での車両のずり下がりを確実に防止することができ、ドライバの操作負担を軽減することができる。ただし、これらの制動力保持制御開始条件は例示であり、制御開始条件はこれらに限るものでなはない。
【００７１】
次に、坂道発進補助制御の制動力保持制御終了条件について説明する。
本実施形態では、下記の（１）〜（５）の条件が設定され、（１），（２），（３）の条件の何れかが成立し且つ（４），（５）の各条件がいずれも成立した場合に、制動力保持制御終了条件が成立する。なお、制動力保持制御終了条件の判定は、当然ながら制動力保持制御中に実施する。
【００７２】
（１）坂道発進補助スイッチがオフであること。
（２）駐車ブレーキが作動操作されたこと。
（３）エンジンが作動状態であること。
（４）車両の発進準備操作されたこと。
（５）その他の条件が成立していること。
【００７３】
上記の（２）の条件は、駐車ブレーキのブレーキスイッチからＯＮ信号が入力されていれば成立し、ＯＦＦ信号が入力されていれば成立しない。
上記の（３）の条件は、エンジン回転数センサからのエンジン回転数Ｎｅがエンジン作動を示す閾値（エンジン完爆判定閾値を流用できる）Ｎｅ０以上ならエンジンが作動状態であり成立し、そうでなければ成立しない。
上記の（４）の条件は、本実施形態のように、クラッチが自動クラッチであり且つ変速機が自動変速機の場合、シフトレバーがＤ位置等の走行位置にセットされアクセルペダルが踏み込まれた場合に、エンジン再始動条件が成立する。一方、マニュアルクラッチ且つマニュアル変速機の場合、クラッチペダルを踏み込んでシフトレバーを発進ギヤ段に入れる操作をした場合に、エンジン再始動条件が成立する。
上記の（５）の条件としては、ロックブレーキスイッチがオン操作されないことなどが挙げられる。
【００７４】
このような坂道発進補助制御の制動力保持制御終了条件により、坂道発進補助制御のずり下がり防止制御時の常用ブレーキの制動力を支障なく解放することができる。ただし、これらの制動力保持制御開始条件は例示であり、制御開始条件はこれらに限るものでなはない。
【００７５】
なお、ロックブレーキ制御や、坂道発進補助制御のずり下がり防止制御で用いるバルブ２６に電力を供給するバッテリ３０は、エンジン１０のスタータモータ（図示略）にも給電する。本装置は、坂道発進補助制御と共にアイドリングストップ制御も行なうので、バルブ２６に電力を供給して油路２４ａ，２４ｂを閉鎖している状態でエンジン１０のスタータモータ（図示略）に給電してエンジン１０の再始動を行なう場合がある。
【００７６】
この場合、図２に一点鎖線で示すように、バッテリ３０の電力がスタータモータに給電され電圧低下を招くので、この電圧低下によりバルブの供給電圧が低下し、閉鎖状態が保持されなくなるおそれがある。そこで、バッテリ３０と各バルブ２６との間の給電系統に、ＤＣ／ＤＣコンバータ（昇圧コンバータ）３１を介装し、ＩＳＳＥＣＵ１２のアイドリングストップ制御により、エンジン１０の再始動時には、ＤＣ／ＤＣコンバータータ３１がバッテリ３０の電圧を、図２に破線で示すように、昇圧して電磁バルブ２６に出力し、電圧低下を回避し電磁バルブ２６の閉鎖状態を保持するようになっている。
【００７７】
ところで、本装置では、ロックブレーキ制御、坂道発進補助制御、アイドリングストップ制御を実施することができるが、ロックブレーキ制御とアイドリングストップ制御とを実施する場合、或いは、坂道発進補助制御とアイドリングストップ制御とを実施する場合に、互いに制御干渉を招くおそれがあるので、これらの制御を連携して実施することにより、制御干渉を防止するように制御ロジックを構成している。
なお、ロックブレーキ制御では駐車ブレーキが作動操作されていることを制御開始条件とし、坂道発進補助制御では駐車ブレーキが作動操作されていないことを制御開始条件としているので、これらの制御間では制御干渉は生じない。
【００７８】
つまり、ロックブレーキ制御の開始条件と、アイドリングストップ制御の開始条件とが、共に成立した場合には、ロックブレーキ制御の制動力保持制御を優先して実施し、この場合、アイドリングストップ制御は実施しない。なお、ロックブレーキ制御の制動力保持制御を実施しているときには、坂道発進補助制御の制動力保持制御は実施されない。
【００７９】
また、坂道発進補助制御にかかるずり下がり防止制御の開始条件と、アイドリングストップ制御の開始条件とが、共に成立した場合には、制動力保持制御を優先して実施し、その後アイドルストップ制御を開始するように連携して制御する。さらに、ずり下がり防止制御の制動力保持制御終了条件とアイドルストップ制御終了条件とが何れも成立した場合には、アイドルストップ制御の終了によるエンジン再始動を優先して実施し、その後、制動力保持制御の終了による制動力の解放を実施するように連携して制御する。
【００８０】
つまり、坂道発進補助制御の制動力保持制御により車両の停止状態が確保されるまでは、アイドルストップ制御は開始しないでエンジンは作動状態とし、坂道発進補助制御を開始してからアイドルストップ制御を実施した場合には、坂道発進補助制御の制動力保持制御を終了する際には、アイドルストップ制御はすでに終了しエンジンが作動状態となっているように、連携して制御する。
【００８１】
（作用及び効果）
本発明の第１実施形態にかかる車両制御装置は上述のように構成されているので、アイドリングストップ制御、ロックブレーキ制御、坂道発進補助制御の各開始及び終了にかかる判定を、例えば図３〜図５のフローチャートに示すように行なうことができる。
なお、これらのフローチャート及び後述の図６のフローチャートは、車両のキースイッチがオンになっている際に、車速Ｖが所定車速Ｖ１（例えば、１０ｋｍ／ｈ）以上まで上昇し明らかな走行状態となったら開始し、いずれも共通の所定の制御周期で繰り返して実施され、車両のキースイッチがオンになったら終了する。
【００８２】
アイドリングストップ制御の開始及び終了にかかる判定は、ＩＳＳＥＣＵ１２により行われる。
アイドリングストップ制御の開始判定は、図３（ａ）に示すように行われる。まず、ＩＳＳカットスイッチがオフか否かを判定し（ステップＡ１０）、ＩＳＳカットスイッチがオフでなければリターンし、ＩＳＳカットスイッチがオフならば常用ブレーキが作動操作されているか否かを判定する（ステップＡ２０）。常用ブレーキが作動操作されていなければリターンし、常用ブレーキが作動操作されていれば、車速Ｖが停車判定車速Ｖ２以下か否かを判定する（ステップＡ３０）。
【００８３】
車速Ｖが停車判定車速Ｖ２以下でなければリターンし、車速Ｖが停車判定車速Ｖ２以下ならば、車両の動力伝達系が動力伝達遮断状態であるか否かを判定する（ステップＡ４０）。この条件は、本実施形態の場合には、シフトレバーによりＤ位置が選択され自動クラッチが動力伝達遮断状態であることである。
【００８４】
動力伝達系が動力伝達遮断状態でなければリターンし、車動力伝達系が動力伝達遮断状態であれば、急減速停止でないこと、エンジンの冷却水温が標準領域内であること、ドアが開放されていないこと、シートベルトが外されていること、ＰＴＯ装置が作動していないこと、キャブチルト時でないことなどの、その他の条件が成立しているか否かを判定する（ステップＡ５０）。
【００８５】
そして、その他の条件が成立していなければリターンし、その他の条件が成立していれば、アイドリングストップ制御フラグＦ３を１に設定する（ステップＡ６０）。なお、このアイドリングストップ制御フラグＦ３は、アイドリングストップ制御について、非制御と判定されたら０に設定され、制御実施と判定されたら１に設定され、制御終了を判定したら制御が実際に終了する（エンジンが再始動する）までは２に設定される。また、制御が実際に終了したら非制御となり０に設定される。
【００８６】
このように、ＩＳＳカットスイッチがオフであること、常用ブレーキが作動操作されていること、車速Ｖが停車判定車速Ｖ２以下である（停車している）こと、動力伝達系が動力伝達遮断状態であること、その他の条件が成立していること、の各条件が何れも満たされる場合に、アイドリングストップ制御フラグＦ３が、制御実施に対応する１に設定される。
なお、上記のステップＡ１０〜Ａ５０の順序は変更可能である。
【００８７】
アイドリングストップ制御中には、例えば図３（ｂ）に示すように、アイドリングストップ制御の終了判定が行われる。まず、シフトレバーが非走行段（例えば、Ｐ位置或いはＮ位置）から走行段（例えば、Ｄ位置）にシフトチェンジされたか否かを判定し（ステップＡ１１０）、走行段にシフトチェンジされなければ常用ブレーキが非作動に操作されたか否かを判定する（ステップＡ１２０）。
【００８８】
常用ブレーキが非作動に操作されなければその他の条件が成立しているか否かを判定する（ステップＡ１３０）。その他の条件も成立していなければ、リターンする。
なお、その他の条件とは、例えば、シフトレバーにマニュアルモード位置があれば、ブレーキペダルを踏み込んだまま、シフトレバーをＤ位置からマニュアルモード位置に切り替えた場合が挙げられる。
【００８９】
一方、走行段にシフトチェンジされるか、常用ブレーキが非作動に操作されるか、その他の条件が成立していれば、アイドリングストップ制御を終了することを判定する（ステップＡ１４０）。アイドリングストップ制御の終了を判定したら、アイドリングストップ制御フラグＦ３を２に設定する。
なお、上記のステップＡ１１０〜Ａ１３０の順序は変更可能である。
【００９０】
アイドリングストップ制御の終了を判定したら、例えば図３（ｃ）に示すように、エンジンの始動完了を判定する。この判定は、他の制御である坂道発進補助制御との連携制御に当たり、エンジンの始動完了を確認してから坂道発進補助制御の制動力保持制御を終了するために行なうものであり、エンジン回転数Ｎｅをエンジン完爆判定閾値Ｎｅ０と比較して（ステップＡ２１０）、エンジン回転数Ｎｅがエンジン完爆判定閾値Ｎｅ０以上なら、エンジンの始動が完了したと判定する（ステップＡ２２０）。エンジンの始動完了を判定したら、アイドリングストップ制御フラグＦ３を０に設定する（ステップＡ２２０）。
【００９１】
ロックブレーキ制御の開始及び終了にかかる判定は、ロックブレーキＥＣＵ１４により行われる。
ロックブレーキ制御の開始判定は、図４（ａ）に示すように行われる。まず、ロックブレーキスイッチがオンか否かを判定し（ステップＢ１０）、ロックブレーキスイッチがオンでなければリターンし、ロックブレーキスイッチがオンならば常用ブレーキが作動操作されているか否かを判定する（ステップＢ２０）。常用ブレーキが作動操作されていなければリターンし、常用ブレーキが作動操作されていれば、車速Ｖが停車判定車速Ｖ２以下か否かを判定する（ステップＢ３０）。
【００９２】
車速Ｖが停車判定車速Ｖ２以下でなければリターンし、車速Ｖが停車判定車速Ｖ２以下ならば、駐車ブレーキが作動操作されているか否かを判定する（ステップＢ４０）。駐車ブレーキが作動操作されていなければリターンし、駐車ブレーキが作動操作されていれば、
エンジンが作動中であるか否かを判定する（ステップＢ５０）。このエンジンが作動中であるかの判定は、ここでは、エンジンの始動完了判定と同様に、エンジン回転数Ｎｅをエンジン完爆判定閾値Ｎｅ０と比較して、エンジン回転数Ｎｅがエンジン完爆判定閾値Ｎｅ０以上なら、エンジンが作動中であると判定する。もちろん、エンジンが作動中であることの判定はこれに限らず周知の技術を用いることができる。
【００９３】
エンジンが作動中であれば、車両の動力伝達系が動力伝達遮断状態であるか否かを判定する（ステップＢ６０）。本実施形態の場合には、シフトレバーによりＮ位置が選択されているか、或いは、クラッチが動力伝達遮断状態であれば、動力伝達系が動力伝達遮断状態であると判定する。
動力伝達系が動力伝達遮断状態でなければリターンし、動力伝達系が動力伝達遮断状態であれば、キャブチルト時でないことなどのその他の条件が成立しているか否かを判定する（ステップＢ７０）。
【００９４】
そして、その他の条件が成立していなければリターンし、その他の条件が成立していれば、ロックブレーキ制御フラグＦ１を１に設定する（ステップＢ８０）。なお、このロックブレーキ制御フラグＦ１は、ロックブレーキ制御について、非制御と判定されたら０に設定され、制御実施と判定されたら１に設定される。
【００９５】
このように、ロックブレーキスイッチがオンであること、常用ブレーキが作動操作されていること、車速Ｖが停車判定車速Ｖ２以下である（停車している）こと、駐車ブレーキが作動操作されていること、エンジンが作動中であること、動力伝達系が動力伝達遮断状態であること、駐車ブレーキが作動操作されていること、その他の条件が成立していること、の各条件が何れも満たされる場合に、ロックブレーキ制御フラグＦ１が、制御実施に対応する１に設定される。
なお、上記のステップＢ１０〜Ｂ７０の順序は変更可能である。
【００９６】
ロックブレーキ制御中には、例えば図４（ｂ）に示すように、ロックブレーキ制御の終了判定が行われる。まず、ロックブレーキスイッチがオフに切り替えられたか否かを判定し（ステップＢ１１０）、ロックブレーキスイッチがオフに切り替えられなければ駐車ブレーキがオフ（非作動）に操作されたか否かを判定する（ステップＢ１２０）。駐車ブレーキが非作動に操作されなければ、リターンする。
【００９７】
一方、ロックブレーキスイッチがオフに切り替えられるか、或いは、駐車ブレーキがオフ（非作動）に操作されたらば、エンジンが作動中であるか否かを判定し（ステップＢ１３０）、エンジンが作動中でなければ、リターンする。このエンジンが作動中であるか否かの判定は、ステップＢ５０と同様に、エンジン回転数Ｎｅをエンジン完爆判定閾値Ｎｅ０と比較して行なう。
【００９８】
ここで、エンジンが作動中であれば、ＰＴＯ等の作業用装置が作動可能状態でないかなど、その他の終了条件が成立しているか否かを判定し（ステップＢ１４０）、その他の条件が成立していなければ、リターンする。
一方、その他の条件も成立していれば、ロックブレーキ制御を終了することを判定し、ロックブレーキ制御フラグＦ１を０に設定する（ステップＢ１５０）。
なお、上記のステップＢ１１０，Ｂ１２０の順序や、ステップＢ１３０，Ｂ１４０の順序は変更可能である。
【００９９】
坂道発進補助制御の開始及び終了にかかる判定は、ヒルホールダーＥＣＵ１５により行われる。
坂道発進補助制御の開始判定は、図５（ａ）に示すように行われる。まず、坂道発進補助制御スイッチがオンか否かを判定し（ステップＣ１０）、坂道発進補助制御スイッチがオンでなければリターンし、坂道発進補助制御スイッチがオンならば常用ブレーキが作動操作されているか否かを判定する（ステップＣ２０）。常用ブレーキが作動操作されていなければリターンし、常用ブレーキが作動操作されていれば、車速Ｖが停車判定車速Ｖ２以下か否かを判定する（ステップＣ３０）。
【０１００】
車速Ｖが停車判定車速Ｖ２以下でなければリターンし、車速Ｖが停車判定車速Ｖ２以下ならば、駐車ブレーキがオフ（非作動）であるか否かを判定する（ステップＣ４０）。駐車ブレーキがオフでなければリターンし、駐車ブレーキがオフであれば、エンジンが作動中であるか否かを判定する（ステップＣ５０）。この判定は、ロックブレーキ制御の開始や終了の判定と同様に、エンジン回転数Ｎｅをエンジン完爆判定閾値Ｎｅ０と比較して、エンジン回転数Ｎｅがエンジン完爆判定閾値Ｎｅ０以上なら、エンジンが作動中であると判定する。
【０１０１】
エンジンが作動中であれば、車両の動力伝達系が動力伝達遮断状態であるか否かを判定する（ステップＣ６０）。この条件は、本実施形態の場合には、シフトレバーによりＮ位置が選択されているか、或いは、クラッチが動力伝達遮断状態であることである。動力伝達系が動力伝達遮断状態でなければリターンし、急減速による停止でないことや車輪をロックさせての停止でないことなどその他の条件が成立しているか否かを判定する（ステップＣ７０）。
【０１０２】
そして、その他の条件が成立していなければリターンし、その他の条件が成立していれば、坂道発進補助制御フラグＦ２を１に設定する（ステップＣ８０）。なお、この坂道発進補助制御フラグＦ２は非制御と判定されたら０に設定され、制御実施と判定されてから制御を開始し制動力保持が完了するまでの間は１に設定され、制動力保持が完了したら２に設定される。
【０１０３】
このように、坂道発進補助スイッチがオンであること、常用ブレーキが作動操作されていること、車速Ｖが停車判定車速Ｖ２以下である（停車している）こと、駐車ブレーキがオフであること、エンジンが作動中であること、動力伝達系が動力伝達遮断状態であること、その他の条件が成立していること、の各条件が何れも満たされたら、坂道発進補助制御フラグＦ２が制御開始に対応する１に設定され、その後、制動力保持が完了したら、２に設定される。
なお、上記のステップＣ１０〜Ｃ７０の順序は変更可能である。
【０１０４】
ロックブレーキ制御フラグＦ１が１に設定されると、図５（ｃ）に示すように制動力保持が完了したか否かを判定する。この判定は、制御指令開始時に、タイマを起動し（ステップＣ２１０）、その後、ブレーキ圧ＰＢＦが停車時近傍の閾値ＰＢＦ０以上を保持しているか否かを判定する（ステップＣ２２０）、タイマＴが所定時間Ｔ１を過ぎたか否かを判定し（ステップＣ２３０）、タイマＴが所定時間Ｔ１を過ぎても、ブレーキ圧ＰＢＦが停車時近傍の閾値０ＰＢＦ０以上を保持していれば、制動力保持が完了したと判定する（ステップＣ２４０）。
【０１０５】
制動力保持が完了したら、坂道発進補助制御フラグＦ２を２に設定する（ステップＢ２４０）。なお、途中で、ブレーキ圧ＰＢＦが停車時近傍の閾値ＰＢＦ０未満に低下したら、制動力保持ができていない旨をドライバに知らせるためにアラームを鳴らす（ステップＣ２５０）、又はディスプレイ表示や音声表示により警告メッセージを発する。
【０１０６】
坂道発進補助制御中には、例えば図５（ｂ）に示すように、坂道発進補助制御の終了判定が行われる。まず、坂道発進補助スイッチがオフに切り替えられたか否かを判定し（ステップＣ１１０）、坂道発進補助スイッチがオフに切り替えられなければ駐車ブレーキがオン（作動）に操作されたか否かを判定する（ステップＣ１２０）。駐車ブレーキが作動に操作されなければ、リターンする。
【０１０７】
一方、坂道発進補助スイッチがオフに切り替えられるか、或いは、駐車ブレーキがオン（作動）に操作されたらば、ステップＣ５０と同様の手法でエンジンが作動中であるか否かを判定し（ステップＣ１３０）、エンジンが作動中でなければ、リターンする。エンジンが作動中であれば、ロックブレーキスイッチがオンでないかなど、その他の終了条件が成立しているか否かを判定し（ステップＣ１４０）、その他の条件が成立していなければ、リターンする。
【０１０８】
一方、その他の条件も成立していれば、坂道発進補助制御を終了するために、坂道発進補助制御Ｆ２を０に設定する（ステップＣ１５０）。
なお、上記のステップＣ１１０，Ｃ１２０の順序や、ステップＣ１３０，Ｃ１４０の順序は変更可能である。
【０１０９】
このように、ＩＳＳＥＣＵ１２，ロックブレーキＥＣＵ１４，ヒルホールダー１５ＥＣＵにより、アイドリングストップ制御、ロックブレーキ制御、及び坂道発進補助制御の開始や終了にかかる判定がされる一方で、自際のアイドリングストップ制御、ロックブレーキ制御、及び坂道発進補助制御の開始や終了は、各制御を連携されて統合して実施される。なお、本実施形態では、ＩＳＳＥＣＵ１２が連携制御を実施する構成としているが、かかる連携制御を実施する主体は、これに限らない。
【０１１０】
ここで、ロックブレーキ制御と、坂道発進補助制御と、アイドリングストップ制御との連携制御の各判定手順の概要を説明する。
本実施形態にかかる連携制御では、制御開始時には、ロックブレーキ制御，坂道発進補助制御，アイドリングストップ制御の順に制御開始を判定し、ロックブレーキ制御の開始が判定された場合には、ロックブレーキ制御が終了するまでは、坂道発進補助制御，アイドリングストップ制御の制御開始の判定は行わない。したがって、ロックブレーキ制御を実施しているときには、坂道発進補助制御，アイドリングストップ制御は実施しない。
【０１１１】
また、本実施形態にかかる連携制御では、制御開始時には、ロックブレーキ制御，坂道発進補助制御，アイドリングストップ制御の順に制御開始を判定し、ロックブレーキ制御の開始が判定されずに坂道発進補助制御の開始が判定された場合には、坂道発進補助制御による制動力保持を開始する。そして、坂道発進補助制御による制動力保持が完了するまでは、アイドリングストップ制御の開始判定を行なわず、坂道発進補助制御による制動力保持が完了したら、アイドリングストップ制御の開始判定を行なう。
【０１１２】
坂道発進補助制御による制動力保持を実施しているとき、アイドリングストップ制御の開始条件が成立し、アイドリングストップ制御によるエンジン停止が実施されているときには、坂道発進補助制御及びアイドリングストップ制御の終了を判定する必要があるが、この際には、まず、アイドリングストップ制御の終了を判定し、アイドリングストップ制御の終了が実施されエンジンが再始動したら、坂道発進補助制御の終了を判定する。
【０１１３】
制御の開始判定を、上記のように順序付けることにより、坂道発進補助制御による制動力保持が完了しない限り、エンジンの作動は継続されることになる。また、制御の終了判定を、上記のように順序付けることにより、エンジンが再始動されない限り、坂道発進補助制御による制動力保持は継続されることになる。したがって、これにより、常用ブレーキによる制動力保持が実施されない状態でエンジンが停止する状況が回避される。
【０１１４】
ここで、ロックブレーキ制御と、坂道発進補助制御と、アイドリングストップ制御との連携制御を、図６のフローチャートを用いて説明する。なお、図６では、フラグＦ１，Ｆ２，Ｆ３に関し、Ｆ１（ｎ−１），Ｆ２（ｎ−１），Ｆ３（ｎ−１）は前回の制御周期の各フラグＦ１，Ｆ２，Ｆ３の値を示し、Ｆ１（ｎ），Ｆ２（ｎ），Ｆ３（ｎ）は今回の制御周期の各フラグＦ１，Ｆ２，Ｆ３の値を示す。また、初回の制御周期に用いるＦ１（０），Ｆ２（０），Ｆ３（０）はいずれもフラグＦ１，Ｆ２，Ｆ３の各初期値に相当する０とする。
【０１１５】
図６に示すように、まず、前回のロックブレーキ制御フラグＦ１（ｎ−１）が０であるか否か（ステップＳ１０）、前回の坂道発進補助制御フラグＦ２（ｎ−１）が０であるか否か（ステップＳ２０）、前回のアイドリングストップ制御フラグＦ３（ｎ−１）が０であるか否か（ステップＳ３０）、を判定する。当然ながら、車両が明らかな走行状態となって制御を開始してから車両の停止が判定されるまではフラグＦ１（ｎ−１），Ｆ２（ｎ−１），Ｆ３（ｎ−１）はいずれも初期値０を保持する。
【０１１６】
前回のロックブレーキ制御フラグＦ１（ｎ−１），坂道発進補助制御フラグＦ２（ｎ−１），アイドリングストップ制御フラグＦ３（ｎ−１）がいずれも０であれば、今回のロックブレーキ制御フラグＦ１（ｎ）が１であるか否かを判定する（ステップＳ４０）。今回のロックブレーキ制御フラグＦ１（ｎ）が１でなければ、今回の坂道発進補助制御フラグＦ２（ｎ）が１であるか否かを判定する（ステップＳ５０）。今回の坂道発進補助制御フラグＦ２（ｎ）が１でなければ、今回のアイドリングストップ制御フラグＦ３（ｎ）が１であるか否かを判定する（ステップＳ６０）。
【０１１７】
車両の停止が判定され且つ常用ブレーキが操作されていることが判定されると、ロックブレーキ制御，坂道発進補助制御，及びアイドリングストップ制御の開始条件にかかる個別条件の２つが成立するので、ロックブレーキ制御，坂道発進補助制御，及びアイドリングストップ制御の開始条件にかかる他の個別条件によっては、何れかの制御開始条件が成立する場合がある。
【０１１８】
この場合、上記のように、まず、ロックブレーキ制御フラグＦ１（ｎ）が１であるか否かを判定し、ロックブレーキ制御フラグＦ１（ｎ）が１であればロックブレーキ制御を開始する（ステップＳ７０）。つまり、バルブ２６を閉鎖して常用ブレーキのブレーキ油圧を保持して常用ブレーキの制動力を保持する。
【０１１９】
ロックブレーキ制御フラグＦ１（ｎ）が１でなく、坂道発進補助制御フラグＦ２（ｎ）が１であれば坂道発進補助制御のずり下がり防止制御を開始する（ステップＳ８０）。つまり、バルブ２６を閉鎖して常用ブレーキのブレーキ油圧を保持して常用ブレーキの制動力を保持する。
【０１２０】
さらに、ロックブレーキ制御フラグＦ１（ｎ）も坂道発進補助制御フラグＦ２（ｎ）もが１でなく、アイドリングストップ制御フラグＦ３（ｎ）が１であればアイドリングストップ制御を開始する（ステップＳ９０）。つまり、エンジンを停止する。この場合のアイドリングストップ制御によるエンジン停止状態では、このエンジン停止が解除（つまり、エンジンが再始動）されない限り、ロックブレーキ制御及び坂道発進補助制御は実施されない。
【０１２１】
このようにして、ロックブレーキ制御フラグＦ１（ｎ）が１となって、ロックブレーキ制御が開始されると、次の制御周期では、ステップＳ１０からステップＳ２６０に進んで、ロックブレーキ制御フラグＦ１（ｎ）が０か否か、即ち、ロックブレーキ制御の終了が判定されているか否かを判定する。ここで、ロックブレーキ制御フラグＦ１（ｎ）が０とならなければリターンし、ロックブレーキ制御フラグＦ１（ｎ）が０となったらロックブレーキ制御を終了する（ステップＳ２７０）。つまり、バルブ２６を開放して常用ブレーキのブレーキ油圧保持を終了して常用ブレーキの制動力を解除する。
【０１２２】
また、坂道発進補助制御フラグＦ２（ｎ）が１となって、坂道発進補助制御が開始されると、次の制御周期では、ステップＳ１０，Ｓ２０からステップＳ１５０に進んで、前回の坂道発進補助制御フラグＦ２（ｎ−１）が１であるか否か、即ち、坂道発進補助制御の開始が判定されたか否かが判定される。前回の坂道発進補助制御フラグＦ２（ｎ−１）が１ならば、今回の坂道発進補助制御フラグＦ２（ｎ１）が２であるか否か、即ち、坂道発進補助制御による制動力保持が完了したか否かが判定される（ステップＳ１６０）。
【０１２３】
ここで、今回の坂道発進補助制御フラグＦ２（ｎ１）が２でなければリターンし、今回の坂道発進補助制御フラグＦ２（ｎ１）が２であれば、制動力保持が完了したと判定し（ステップＳ１７０）。この場合、今回のアイドリングストップ制御フラグＦ３（ｎ）が１であるか否か、即ち、今回のアイドリングストップ制御の開始条件が成立しているか否かが判定される（ステップＳ１８０）。今回のアイドリングストップ制御フラグＦ３（ｎ）が１でなければリターンし、今回のアイドリングストップ制御フラグＦ３（ｎ）が１であればアイドリングストップ制御を開始する（ステップＳ１９０）。
【０１２４】
一方、ステップＳ１５０において、前回の坂道発進補助制御フラグＦ２（ｎ−１）が１でないならば、前回の坂道発進補助制御フラグＦ２（ｎ−１）は２であり、坂道発進補助制御による制動力保持が完了しており、前回のアイドリングストップ制御フラグＦ３（ｎ−１）が１であるか否か、即ち、前回の制御周期で、アイドリングストップ制御を開始しているか否かがが判定される（ステップＳ２００）。
【０１２５】
前回のアイドリングストップ制御フラグＦ３（ｎ−１）が１であり、前回の制御周期で、アイドリングストップ制御を開始していれば、今回のアイドリングストップ制御フラグＦ３（ｎ）が２であるか否か、即ち、前回の制御周期で、アイドリングストップ制御の終了を判定しているか否かがが判定される（ステップＳ２１０）。ここで、今回のアイドリングストップ制御フラグＦ３（ｎ）が２でなければ、フラグＦ３（ｎ）は１のままでありリターンし、今回のアイドリングストップ制御フラグＦ３（ｎ）が２であれば、アイドリングストップ制御の終了（ＩＳＳオフ）即ちエンジン再始動を指示する（ステップＳ２２０）。
【０１２６】
また、ステップＳ２００において、前回のアイドリングストップ制御フラグＦ３（ｎ−１）が１でなければ、今回のアイドリングストップ制御フラグＦ３（ｎ）が０であるか否か、即ち、エンジン再始動が完了したか否かが判定される（ステップＳ２３０）。前回のアイドリングストップ制御フラグＦ３（ｎ−１）が１でなければ、前回のアイドリングストップ制御フラグＦ３（ｎ−１）は０か２である。前回のアイドリングストップ制御フラグＦ３（ｎ−１）が２であれば、今回の制御周期で、エンジン再始動が完了していればＦ３（ｎ）は０となる。
【０１２７】
今回のアイドリングストップ制御フラグＦ３（ｎ）が０であればエンジン再始動が完了しているので、坂道発進補助制御の終了（制動力保持の終了）は可能であり、今回の坂道発進補助制御フラグＦ２（ｎ）が０であるか否か、即ち、今回の制御周期で坂道発進補助制御の終了が判定されているか否かが判定される（ステップＳ２４０）。今回の坂道発進補助制御フラグＦ２（ｎ）が０でなければリターンし、今回の坂道発進補助制御フラグＦ２（ｎ）が０ならば、坂道発進補助制御を終了する（ステップＳ２５０）。つまり、バルブ２６を開放して常用ブレーキのブレーキ油圧保持を終了して常用ブレーキの制動力を解除する。
【０１２８】
また、ステップＳ６０で、アイドリングストップ制御フラグＦ３（ｎ）が１となって、アイドリングストップ制御が開始されると、次の制御周期では、ステップＳ１０，Ｓ２０，Ｓ３０からステップＳ１００に進んで、前回のアイドリングストップ制御フラグＦ３（ｎ−１）が１であるか否か、即ち、アイドリングストップ制御の開始が判定されて実施されているか否かが判定される。
【０１２９】
当初は、フラグＦ３（ｎ）は１であり、ステップＳ１１０に進んで、今回のアイドリングストップ制御フラグＦ３（ｎ）が２であるか否か、即ち、アイドリングストップ制御の終了が判定されたか否かが判定される。今回のアイドリングストップ制御フラグＦ３（ｎ）が２でなければリターンする。この場合は、アイドリングストップ制御の実施が継続される。また、今回のアイドリングストップ制御フラグＦ３（ｎ）が２であれば、アイドリングストップ制御の終了、即ち、エンジンの再始動を指示する（ステップＳ１３０）。
【０１３０】
フラグＦ３（ｎ）が２となると、次の制御周期のステップＳ１００において、ステップＳ１２０に進んで、今回のアイドリングストップ制御フラグＦ３（ｎ）が０であるか否か、即ち、アイドリングストップ制御制御の終了（エンジン再始動）が完了したか否かが判定される。今回のアイドリングストップ制御フラグＦ３（ｎ）が０でなければリターンし、今回のアイドリングストップ制御フラグＦ３（ｎ）が０であれば、アイドリングストップ制御が終了した、即ち、エンジンの再始動が完了したと判定する（ステップＳ１４０）。
【０１３１】
本装置によれば、このようにして、アイドリングストップ制御の制御開始条件と、ロックブレーキ制御や坂道発進補助制御の制動力保持制御の制御開始条件とが、ともに成立した場合に、ロックブレーキ制御や坂道発進補助制御の制動力保持制御を優先して実施するように連携して制御するので、両制御の制御干渉が回避される効果がある。
【０１３２】
つまり、ロックブレーキ制御や坂道発進補助制御の制動力保持制御開始条件や制動力保持制御終了条件にはエンジンが作動状態であることが含まれるため、アイドリングストップ制御開始条件と制動力保持制御開始条件とが何れも成立した場合に、アイドリングストップ制御を開始する前に、制動力保持制御を開始すれば、制動力保持制御を支障なく開始することができる。また、制動力保持制御を開始した後であれば、アイドリングストップ制御を開始してエンジンを停止させることも可能である。また、制動力保持という車両を安定して静止させる制御をアイドリングストップ制御よりも優先させることは、制御の重要性の観点からも適切である。
【０１３３】
また、アイドリングストップ制御の制御開始条件と、ロックブレーキ制御の制動力保持制御の制御開始条件とが、ともに成立した場合には、ロックブレーキ制御は実施するがアイドリングストップ制御は行わない。これにより、実質的な支障を伴わずに、制御ロジックをシンプルに構成することができる。つまり、ロックブレーキ制御は車両による作業時に使用するが、作業時には基本的に車両に装備された作業機械でエンジンの駆動力を使用する。エンジンの駆動力により作業機械を作動させる場合、アイドリングストップ制御は禁止される。したがって、ロックブレーキ制御時には、アイドリングストップ制御を実施しないのは、こうした事情に対応しており、支障なく、制御ロジックをシンプルに構成することができる。
【０１３４】
また、アイドリングストップ制御の制御開始条件と、坂道発進補助制御のずり下がり防止制御の制御開始条件とが、ともに成立した場合には、まず、坂道発進補助制御のずり下がり防止制御を開始して、常用ブレーキの制動力を停止操作時のままに保持し、この保持が完了した後に、アイドリングストップ制御のエンジン停止を行なうので、常用ブレーキの制動力が確保されない状態でエンジン停止が行われることが防止され、車両操作性を確保することができる。
【０１３５】
また、アイドリングストップ制御の制御終了条件と、坂道発進補助制御のずり下がり防止制御の制御終了条件とが、ともに成立した場合には、まず、アイドリングストップ制御の終了、即ち、エンジンの再始動を実施し、このエンジンの再始動が完了した後に、坂道発進補助制御のずり下がり防止制御の終了、即ち、常用ブレーキの制動力の解除を行なうので、エンジン駆動力が確保されない状態で常用ブレーキの制動力が解除されることが防止され、車両操作性を確保することができる。もちろん、アイドリングストップ条件が成立するとアイドリングストップ制御が実施されエンジン１０が停止されるので、燃費を向上させ、排出ガスを低減させることができる。
【０１３６】
また、本実施形態では、ノーマルオープンの電磁バルブ２６を閉鎖状態としながら、エンジン１０のスタータモータ（図示略）に給電してエンジン１０の再始動を行なう場合があり、図２に一点鎖線で示すように、バッテリ３０の電力がスタータモータに給電され電圧低下を招くが、バッテリ３０と各バルブ２６との間の給電系統に、ＤＣ／ＤＣコンバータ（昇圧コンバータ）３１を介装しており、エンジン１０の再始動のためのスタータモータへの給電時には、ＤＣ／ＤＣコンバータータ３１がバッテリ３０の電圧を、図２に破線で示すように、昇圧して電磁バルブ２６に出力し、電磁バルブ２６の給電電圧の低下を回避し電磁バルブ２６の閉鎖状態を保持することができる。
【０１３７】
さらに、本実施形態では、別々のハードウェアであるＩＳＳＥＣＵ１２，ロックブレーキＥＣＵ１４，ヒルホールダー１５ＥＣＵが、ＣＡＮによってネットワーク化されており、このネットワークにより互いに情報を授受して連携した制御を実施するので、既存のハードウェアを組み合わせて使用しながら連携制御を実施することができ、各制御機能をオプションで備える場合に好適である。
【０１３８】
〔第２実施形態〕
（構成）
本実施形態にかかる車両制御装置は、図７に示すように、エンジンＥＣＵ１１と、第１実施形態にかかる車両制御装置のうち、ロックブレーキＥＣＵ１４を省いて、アイドリングストップ用ＥＣＵ（ＩＳＳＥＣＵ）１２と、ＡＢＳ制御用ＥＣＵ（ＡＢＳＥＣＵ、車両挙動制御手段）１３Ａと、坂道での一時停止時にブレーキペダルを踏み込んだ際に油圧式常用ブレーキ２０の制動力を保持し車両の移動を防止し車両を発進させる際に制動力を自動的に解除する坂道発進補助制御用ＥＣＵ（ヒルホールダーＥＣＵ（Hill Holder ECU）、坂道発進補助制御手段）１５と、を備えている。第１実施形態と同符号は同様のものを示しており、詳細な説明は省略する。
【０１３９】
図示するように、第１実施形態と同様に、バッテリ３０と各電磁バルブ２６との間の給電系統に、ＤＣ／ＤＣコンバータ（昇圧コンバータ）３１が介装されており、エンジン１０の再始動のためのスタータモータへの給電時には、バッテリ３０の電圧降下が生じるが、ＩＳＳＥＣＵ１２がＤＣ／ＤＣコンバータ３１を作動させ、電磁バルブ２６に給電する電圧を昇圧するので、電磁バルブ２６の給電電圧の低下を回避し電磁バルブ２６の閉鎖状態を保持するようになっている。
【０１４０】
そして、第１実施形態と同様に、坂道発進補助制御とアイドリングストップ制御とを実施することができるが、坂道発進補助制御とアイドリングストップ制御とを実施する場合に、第１実施形態と同様に、これらの制御を連携して実施することにより、互いに制御干渉を招かないように制御ロジックを構成している。
【０１４１】
（作用及び効果）
本実施形態にかかる車両制御装置は、上述のように構成されているので、第１実施形態のものと同様に、各制御の開始及び終了が判定される。つまり、図６において、ステップＳ１０，Ｓ７０，Ｓ２６０，Ｓ２７０が削除され、ステップＳ３０の肯定ルートはステップＳ５０に進むように構成する。
【０１４２】
これにより、第１実施形態のものと同様に、アイドリングストップ制御の制御開始条件と、坂道発進補助制御のずり下がり防止制御の制御開始条件とが、ともに成立した場合には、まず、坂道発進補助制御のずり下がり防止制御を開始して、常用ブレーキの制動力を停止操作時のままに保持し、この保持が完了した後に、アイドリングストップ制御のエンジン停止を行なうので、常用ブレーキの制動力が確保されない状態でエンジン停止が行われることが防止され、車両操作性を確保することができる。
【０１４３】
また、アイドリングストップ制御の制御終了条件と、坂道発進補助制御のずり下がり防止制御の制御終了条件とが、ともに成立した場合には、まず、アイドリングストップ制御の終了、即ち、エンジンの再始動を実施し、このエンジンの再始動が完了した後に、坂道発進補助制御のずり下がり防止制御の終了、即ち、常用ブレーキの制動力の解除を行なうので、エンジン駆動力が確保されない状態で常用ブレーキの制動力が解除されることが防止され、車両操作性を確保することができる。もちろん、アイドリングストップ条件が成立するとアイドリングストップ制御が実施されエンジン１０が停止されるので、燃費を向上させ、排出ガスを低減させることができる。
【０１４４】
〔第３実施形態〕
（構成）
本実施形態にかかる車両制御装置は、図８に示すように、第１実施形態にかかる車両制御装置のうち、ヒルホールダーＥＣＵ１５を省いて、エンジンＥＣＵ１１と、アイドリングストップ用ＥＣＵ（ＩＳＳＥＣＵ）１２と、ＡＢＳ制御用ＥＣＵ（ＡＢＳＥＣＵ、車両挙動制御手段）１３Ａと、油圧式常用ブレーキ（フットブレーキ）２０の制動力を保持し車両の移動を防止する制動力保持制御用ＥＣＵ（ロックブレーキＥＣＵ（Rock Brake ECU）、制動力保持手段）１４と、を備えている。第１実施形態と同符号は同様のものを示しており、詳細な説明は省略する。
【０１４５】
また、アイドリングストップ制御とロックブレーキ制御とは同時に実施しないので、電磁バルブ２６への給電時に、エンジン１０の再始動のためのスタータモータへの給電はないため、第１，２実施形態において、バッテリ３０と各電磁バルブ２６との間の給電系統に介装されているＤＣ／ＤＣコンバータ（昇圧コンバータ）３１も省略されている。
【０１４６】
そして、第１実施形態と同様に、ロックブレーキ制御とアイドリングストップ制御とを実施することができるが、ロックブレーキ制御とアイドリングストップ制御とを実施する場合に、第１実施形態と同様に、これらの制御を連携して実施することにより、互いに制御干渉を招かないように制御ロジックを構成している。
【０１４７】
（作用及び効果）
本実施形態にかかる車両制御装置は、上述のように構成されているので、第１実施形態のものと同様に、各制御の開始及び終了が判定される。つまり、図６において、ステップＳ２０，Ｓ５０，Ｓ８０，Ｓ１５０〜Ｓ２５０が削除され、ステップＳ１０の肯定ルートはステップＳ３０に進み、ステップＳ４０の否定ルートはステップＳ６０に進むように構成する。
【０１４８】
これにより、第１実施形態のものと同様に、アイドリングストップ制御の制御開始条件と、ロックブレーキ制御の制動力保持制御の制御開始条件とが、ともに成立した場合には、ロックブレーキ制御は実施するがアイドリングストップ制御は行わない。これにより、実質的な支障を伴わずに、制御ロジックをシンプルに構成することができる。
【０１４９】
〔第４実施形態〕
（構成）
本実施形態にかかる車両制御装置は、図９に示すように、第１実施形態にかかる車両制御装置のうち、ＡＢＳ制御用ＥＣＵ（ＡＢＳＥＣＵ、車両挙動制御手段）１３Ａが、車両挙動制御（ＥＳＰ制御）及びＡＢＳ制御を行なう車両挙動制御用ＥＣＵ（ＡＢＳ／ＥＳＰＥＣＵ、車両挙動制御手段）１３に変更され、さらに、制動力を保持するための電磁バルブ２６を介装する位置がハイドロリックユニット２２よりも下流の油路２５ａ〜２５ｄに変更されている。また、第１実施形態と同符号は同様のものを示しており、詳細な説明は省略する。
【０１５０】
ＡＢＳ／ＥＳＰＥＣＵ１３には、常用ブレーキ（フットブレーキ）の操作情報や、ブレーキ各車輪の車輪速センサ（図示略）からの車輪速情報や、ヨーレイトセンサや横Ｇセンサや前後Ｇセンサや車速センサなど（図示略）の車両挙動センサからの車両挙動情報が入力される。そして、ＡＢＳ／ＥＳＰＥＣＵ１３は、制動時にいずれかの車輪がロック傾向になったら、ハイドロリックユニット２２を制御してその車輪のホイールシリンダ２３の油圧を低下させて制動力を抑制し車輪のロックを回避する（ＡＢＳ制御）。また、車両が横滑りを生じたり横滑りや横転等のおそれが生じたりしたら、ハイドロリックユニット２２を制御して各車輪のホイールシリンダ２３の油圧を個々に調整して横滑りや横転を回避する（ＥＳＰ制御）。
【０１５１】
また、本実施形態では、ハイドロリックユニット２２よりも上流の上流側圧油流路２４ａ，２４ｂの流路断面積は、ハイドロリックユニット２２よりも下流で各車輪のホイールシリンダ２３に至る下流側圧油流路２５ａ〜２５ｄの流路断面積よりも大きく設定されている。これは、ＥＳＰによる車両挙動安定制御を行なうには、各車輪の制動力を速やかに変更することが必要となる場合があり、このため、ハイドロリックユニット２２の上流側油路２４ａ，２４ｂは、ハイドロリックユニット２２よりも下流の油路２５ａ〜２５ｄのそれぞれに要求される圧油供給を速やかに行えるように、油路２５ａ〜２５ｄよりも大幅に大径の配管が適用されているのである。
【０１５２】
そして、制動力を保持するための電磁バルブ２６は、上流側油路２４ａ，２４ｂよりも流路断面積の小さい下流側油路２５ａ〜２５ｄのそれぞれに介装されている。下流側油路２５ａ〜２５ｄは比較的流路断面積が小さいため、ここに介装する各電磁バルブ２６も比較的流路断面積が小さい小型のものを適用することができる。制動力保持制御のための制御信号に応じてバッテリ（車載の補機バッテリ）３０からの電力を供給されることにより油路２５ａ〜２５ｄを閉鎖して、各車輪のホイールシリンダ２３の油圧を保持し制動力を保持する。
【０１５３】
（作用及び効果）
本実施形態にかかる車両制御装置は、上述のように構成されているので、第１実施形態のものと同様の作用及び効果に加えて、以下の作用及び効果を得ることができる。
【０１５４】
つまり、制動力を保持する電磁バルブ２６は、ハイドロリックユニット２２の下流の各車輪のホイールシリンダ２３に至る下流側圧油流路２５ａ〜２５ｄにそれぞれ介装されており、流路断面積が大きい上流側圧油流路２４ａ，２４ｂにはバルブが介装されないので、上流側圧油流路２４ａ，２４ｂ内を圧油が円滑に流通する。また、下流側圧油流路２５ａ〜２５ｄは上流側圧油流路２４ａ，２４ｂよりも流路断面積が小さいので、上流側圧油流路に介装する場合よりも小型の電磁バルブ２６を適用しても、流路抵抗を招きにくい。
【０１５５】
したがって、ハイドロリックユニット２２による各車輪のホイールシリンダ２３内の油圧調整も応答性の遅れを招くことなく行なうことができ、ＡＢＳ／ＥＳＰＥＣＵ１３による車両挙動制御に際して、ハイドロリックユニット２２により各車輪のホイールシリンダ２３内の油圧を速やかに調整することができ、各車輪の制動力をタイミングよく個別制御でき、車両の走行安定性制御を適切に行なうことができる。
【０１５６】
また、電磁バルブ２６に比較的小型のバルブを適用できるので、既存の電磁バルブを適用しやすい。このため、電磁バルブ２６の数が増えても個々の電磁バルブ２６のコストを大きく削減することができるので、電磁バルブ２６に要するコストを全体としても大幅に削減することができる。
【０１５７】
〔その他〕
以上、本発明の実施形態を説明したが、本発明はかかる実施形態に限定されるものではなく、上記実施形態を適宜変更して実施しうるものである。
例えば、上記実施形態では、常用ブレーキの制動力を保持して制動力保持制御をロックブレーキ制御と坂道発進制御のずり下がり防止制御に適用する例を説明したが、制動力保持制御はこれらに限らない。
【０１５８】
また、上記実施形態では、常用ブレーキの制動力を保持するために、上記実施形態では、油圧式常用ブレーキ２０が全て油圧（液圧）を用いる構成としたが、部分的にエア圧等を用いる構成であっても良い。
また、上記実施形態では、アイドリングストップ制御や、ロックブレーキ制御，坂道発進制御の制動力保持制御といった各制御機能を、別々のハードウェアであるＩＳＳＥＣＵ１２，ロックブレーキＥＣＵ１４，ヒルホールダー１５ＥＣＵに組み込んでいるが、これらを１つのハードウェアに組み込んでもよい。
【０１５９】
また、別々のハードウェアに組み込む場合も、上記実施形態のように各ＥＣＵ１２，１３，１４，１５は、ＣＡＮによってネットワーク化されており、このネットワークにより互いに情報を授受して連携した制御を実施するので、既存のハードウェアを組み合わせて使用しながら連携制御を実施することができ、各制御機能をオプションで備える場合に好適である。
また、上記実施形態では、車両挙動制御用ＥＣＵ１３がＡＢＳ及びＥＳＰの両者を実施する構成になっているが、ＡＢＳ及びＥＳＰの一方のみを実施する構成にしてもよい。
【符号の説明】
【０１６０】
１０  エンジン
１１  エンジンＥＣＵ
１２  アイドリングストップ用ＥＣＵ（ＩＳＳＥＣＵ）
１３  車両挙動制御用ＥＣＵ（ＡＢＳ／ＥＳＰＥＣＵ、車両挙動制御手段）
１３Ａ  車両挙動制御用ＥＣＵ（ＡＢＳＥＣＵ、車両挙動制御手段）
１４  制動力保持制御用ＥＣＵ（ロックブレーキＥＣＵ、制動力保持手段）
１５  坂道発進補助制御用ＥＣＵ（ヒルホールダーＥＣＵ、坂道発進補助制御手段）
２０  油圧式常用ブレーキ
２１  ブレーキブースタ
２１ａ  マスターシリンダ
２２  ハイドロリックユニット（油圧ユニット）
２３  ホイールシリンダ
２４ａ，２４ｂ  上流側圧油流路
２５ａ〜２５ｄ  下流側圧油流路
２６  制動力を保持するための電磁バルブ
３０  バッテリ
３１  ＤＣ／ＤＣコンバータ（昇圧コンバータ）
【図１】
2014108702.tif 000003
【図２】
2014108702.tif 000004
【図３】
2014108702.tif 000005
【図４】
2014108702.tif 000006
【図５】
2014108702.tif 000007
【図６】
2014108702.tif 000008
【図７】
2014108702.tif 000009
【図８】
2014108702.tif 000010
【図９】
2014108702.tif 000011